(57)【要約】【課題】  ユーザーが独自にタイヤローテーションを任意の配置で行うことができ、紛失する可能性のあるキャップを高価にしすぎないタイヤ空気圧監視装置を提供すること。【解決手段】  バルブの開放で空気圧をタイヤ内部へ導入するバルブ部２と、バルブ部２のバルブ部分を露出させないよう覆うキャップ１と、タイヤ空気圧を検出する圧力センサモジュール２６と、車両に設置され、タイヤ空気圧情報を監視する制御部４と、検出したタイヤ空気圧情報を制御部４へ送信する送信モジュール２９と、を備えたタイヤ空気圧監視装置であって、車輪位置情報をキャップ１に持たせ、キャップ１の車輪位置情報により車輪位置を判別する信号処理部２８をバルブ部２に設けて、タイヤ空気圧情報と車輪位置判別情報を送信した。【選択図】        図１
2007131244.tif 000002
【特許請求の範囲】
【請求項１】
バルブの開放で空気圧をタイヤ内部へ導入するタイヤバルブ部と、
前記タイヤバルブ部のバルブ部分を露出させないよう覆うキャップ部と、
タイヤ空気圧を検出するタイヤ圧検出手段と、
車両に設置され、タイヤ空気圧情報を監視する車載装置と、
検出したタイヤ空気圧情報を前記車載装置へ送信する送信手段と、
を備えたタイヤ空気圧監視装置であって、
車輪位置情報を前記キャップ部に持たせ、
前記キャップ部の車輪位置情報により車輪位置を判別する判別手段を前記タイヤバルブ部に設けて、タイヤ空気圧情報と車輪位置判別情報を送信する、
ことを特徴とするタイヤ空気圧監視装置。
【請求項２】
請求項１に記載のタイヤ空気圧監視装置において、
前記キャップ部は、
車輪位置が示された識別マークを前記車輪位置情報と別に備える、
ことを特徴とするタイヤ空気圧監視装置。
【請求項３】
請求項２に記載のタイヤ空気圧監視装置において、
前記識別マークは、
車輪位置を識別する文字である、
ことを特徴とするタイヤ空気圧監視装置。
【請求項４】
請求項２に記載のタイヤ空気圧監視装置において、
前記識別マークは、
車輪位置を識別する色である、
ことを特徴とするタイヤ空気圧監視装置。
【請求項５】
請求項２に記載のタイヤ空気圧監視装置において、
前記識別マークは、
車輪位置を識別する絵である、
ことを特徴とするタイヤ空気圧監視装置。
【請求項６】
請求項２に記載のタイヤ空気圧監視装置において、
前記識別マークは、
車輪位置を識別する記号である、
ことを特徴とするタイヤ空気圧監視装置。
【請求項７】
請求項１〜請求項６のいずれか１項に記載のタイヤ空気圧監視装置において、
前記車輪位置情報は、スペアタイヤを含む全てのタイヤのキャップ部に持たせ、
前記車載装置は、
いずれか１つのキャップ部を紛失した場合に、他のキャップ部の車輪位置情報から、キャップ部を紛失した車輪位置を判断しタイヤ空気圧を監視する、
ことを特徴とするタイヤ空気圧監視装置。
【請求項８】
請求項１〜請求項７のいずれか１項に記載のタイヤ空気圧監視装置において、
前記タイヤバルブ部のそれぞれを識別する固有の識別情報を記憶するバルブ識別情報記憶手段をタイヤバルブ部に設け、
前記キャップ部の車輪位置情報と、前記タイヤバルブ部の識別情報を関連付けして記憶する関連記憶手段を前記車載装置に設け、
前記車載装置は、
いずれか２つ以上のキャップを紛失した場合に、前記関連記憶手段に記憶した情報から、キャップ部を紛失した車輪位置を判断しタイヤ空気圧を監視する、
ことを特徴とするタイヤ空気圧監視装置。
【請求項９】
請求項１〜請求項８のいずれか１項に記載のタイヤ空気圧監視装置において、
前記車載装置は、キャップ部を紛失した場合に、ドライバに警告表示を行う警告表示手段を備えた、
ことを特徴とするタイヤ空気圧監視装置。
【請求項１０】
請求項９に記載のタイヤ空気圧監視装置において、
前記警告表示手段は、インパネで表示を行うことを特徴とするタイヤ空気圧監視装置。
【請求項１１】
請求項９に記載のタイヤ空気圧監視装置において、
前記警告表示手段は、カーナビゲーション画面であることを特徴とするタイヤ空気圧監視装置。
【請求項１２】
請求項９に記載のタイヤ空気圧監視装置において、
前記警告表示手段は、カーオーディオ画面であることを特徴とするタイヤ空気圧監視装置。
【請求項１３】
請求項９に記載のタイヤ空気圧監視装置において、
前記警告表示手段は、車内時計の画面であることを特徴とするタイヤ空気圧監視装置。
【請求項１４】
請求項９に記載のタイヤ空気圧監視装置において、
前記警告表示手段は、カーエアコン表示画面であることを特徴とするタイヤ空気圧監視装置。
【請求項１５】
請求項１〜請求項１４のいずれか１項に記載のタイヤ空気圧監視装置において、
前記キャップ部の車輪位置情報及び前記タイヤバルブ部の判別手段は、
複数のスイッチをタイヤバルブ部に設け、
それぞれ異なるスイッチのオンオフの組み合わせとなるようスイッチに係合する係合部を前記キャップ部に設けた、
ことを特徴とするタイヤ空気圧監視装置。
【請求項１６】
請求項１５に記載のタイヤ空気圧監視装置において、
前記スイッチは、環状に複数配置し、
前記係合部は、環状に配置した突起で前記スイッチを押す構造にし、
前記タイヤバルブ部と前記キャップ部の相対回転位置が変わっても判別されるオンオフの組み合わせにした、
ことを特徴とするタイヤ空気圧監視装置。
【発明の詳細な説明】
【技術分野】
【０００１】
本発明は、タイヤの空気圧を監視して、空気圧が良好な状態でなくなるとドライバへ点検を促すタイヤ空気圧監視装置の技術分野に属する。
【背景技術】
【０００２】
従来では、タイヤの空気圧に関する検出信号を車両の受信ユニットに送信する送信ユニットを、前輪のタイヤに装着される前輪送信ユニットと、後輪のタイヤに装着される後輪送信ユニットに区分けし、その区分けがタイヤ装着状態で外部から判別できるようにしている（例えば、特許文献１参照。）。
【０００３】
また、タイヤバルブキャップに、識別マーク、圧力センサ、ＣＰＵ、送信手段を組み込んでいるものもある(例えば、特許文献２参照）。
【特許文献１】特開２００５−１６２１２０号公報（第２−７頁、全図）
【特許文献２】特開２００５−１７８６７６号公報（第２−８頁、全図）
【発明の開示】
【発明が解決しようとする課題】
【０００４】
しかしながら、従来にあっては、前後輪間のタイヤローテーションが不可能となり、また、紛失する可能性のあるキャップが非常に高価なものとなるという問題点があった。
【０００５】
本発明は、上記問題点に着目してなされたもので、その目的とするところは、ユーザーが独自にタイヤローテーションを任意の配置で行うことができ、紛失する可能性のあるキャップを高価にしすぎないタイヤ空気圧監視装置を提供することにある。
【課題を解決するための手段】
【０００６】
上記目的を達成するため、本発明では、バルブの開放で空気圧をタイヤ内部へ導入するタイヤバルブ部と、前記タイヤバルブ部のバルブ部分を露出させないよう覆うキャップ部と、タイヤ空気圧を検出するタイヤ圧検出手段と、車両に設置され、タイヤ空気圧情報を監視する車載装置と、検出したタイヤ空気圧情報を前記車載装置へ送信する送信手段と、を備えたタイヤ空気圧監視装置であって、車輪位置情報を前記キャップ部に持たせ、前記キャップ部の車輪位置情報により車輪位置を判別する判別手段を前記タイヤバルブ部に設けて、タイヤ空気圧情報と車輪位置判別情報を送信する、ことを特徴とする。
【発明の効果】
【０００７】
よって、本発明にあっては、ユーザーが独自にタイヤローテーションを任意の配置で行うことができ、紛失する可能性のあるキャップを高価にしすぎないようにすることができる。
【発明を実施するための最良の形態】
【０００８】
以下、本発明のタイヤ空気圧監視装置を実現する実施の形態を、実施例に基づいて説明する。
【実施例１】
【０００９】
まず、構成を説明する。
図１は実施例１のタイヤ空気圧監視装置のシステム構造を示す図である。
実施例１のタイヤ空気圧監視装置は、キャップ１（１ａ〜１ｅ）、タイヤのバルブ部２、受信アンテナ３、制御部４、表示器５を主要な構成としている。
【００１０】
キャップ１（１ａ〜１ｅ）は、外部から見て車輪位置が分かる表示と、内部にバルブ部２へ車輪位置情報を伝える機構を設けたものであり、タイヤに空気を導入するバルブ部２を保護するものである。
図２は実施例１のタイヤ空気圧監視装置におけるキャップ及びバルブ部の説明図である。
キャップ１は、頭部１１、棒状部分１２、係合片１３、押圧部１３ａ、取り付け部１４により構成されている。
キャップ１の頭部１１は、上面に車輪位置を表す文字FR,FL,RR,RL,SPを識別マークとして設けている。ここで、１文字目のＦはフロント、Ｒはリヤ、２文字目のＲ，Ｌは左右、SPはスペアタイヤである。
キャップ１の頭部１１には、径大な周縁部分を設ける。
【００１１】
次に、キャップ１の頭部１１の下面から下方に伸びる円柱状の棒状部分１２を設ける。この棒状部分１２の外周には、四方に長手方向に沿った係合片１３を突出させる。この係合片１３のさらに下端を内側のみ延長するかどうかにより、スイッチのオンオフを決める。この延長部分を押圧部１３ａとし、図２に示すように、１箇所に押圧部１３ａを設けたものをFRとし、３箇所に押圧部１３ａを設けたものをFLとし、隣り合う２箇所に押圧部１３ａを設けたものをRRとし、対向する２箇所に押圧部１３ａを設けたものをRLとし、４箇所全てに押圧部１３ａを設けたものをSPとする。
【００１２】
次に、取り付け部１４は、キャップ１の頭部１１及び棒状部分１２の外周を覆い、且つ内径部にバルブ部２にキャップ１を取り付けるためのネジ部を備えている。
取り付け部１４は、頭部１１の径大な周縁部分を下方に抑える部分を設けることで、頭部１１及び棒状部分１２をバルブ部２に押さえつけるように係合させる。
また、取り付け部１４に対して、頭部１１は、径大な周縁部分を抑えつけられる状態から、さらに下方への動きに対しては、ねじ部上端までの空間により、所定の量、下降が可能な構造にしておく。
【００１３】
タイヤのバルブ部２のキャップとの係合構造は、図２に示すように、外周をねじ部にした円筒部２１を設ける。この円筒部２１には、上端から所定位置まで、内孔と外周側の外部を連通させるスリット２２を四方に設ける。所定位置から下方では、キャップ１の押圧部１３ａに対応する内径側のみさらに下方へ通じるようにし、そこへ押圧片２３を上下動自在に挿入しておく。
そして、押圧片２３の下方には、スイッチ２４を設ける。
また、内孔の下方には、下方に押圧されると、タイヤ内部へ空気を導入できる連通状態にするバルブ体２５を設ける。
【００１４】
制御部４は、受信アンテナ３により、バルブ部２からの送信データを受信する。
さらに制御部４は、図示しないが、ＣＰＵや記憶部を備え、車輪位置とバルブ部２のIDデータを関連付けして記憶しておく。また、バルブ部２からのタイヤ空気圧データを予め設定した閾値と比較し、閾値を下回ると、表示器５へタイヤ圧の点検を促すよう警告表示を行わせる。
【００１５】
次にバルブ部２のシステム構造について説明する。
図３は実施例１のタイヤ空気圧監視装置のバルブ部のシステム構造を示すブロック図である。
バルブ部２は、スイッチ２４、圧力センサモジュール２６、電源モジュール２７、信号処理部２８、送信モジュール２９、送信アンテナ３０により構成されている。
圧力センサモジュール２６は、タイヤ空気圧を検出し、検出結果を信号処理部２８へ出力する。
【００１６】
電源モジュール２７は、バルブ部２の各部へ電源供給を行う。
信号処理部２８は、内部にそれぞれのバルブ部の識別を行うための固有IDを記憶する固有ID記憶部２８ａを備え、タイヤ空気圧と、スイッチ２４から判断する車輪位置、固有IDを少なくとも含む送信データを生成し、送信モジュール２９へ出力する。
送信モジュール２９は、送信データを送信アンテナ３０から電波出力する。
【００１７】
作用を説明する。
[タイヤ空気圧監視]
本実施例１のタイヤ空気圧監視装置では、図２に示す表示と同じ車輪位置にキャップ１を取り付けるようにする。
すると、キャップ１の押圧部１３ａの有り無しによるスイッチ２４のオンオフにより、車輪位置をバルブ部２の信号処理部２８で検出する。
これにより、その車輪位置とバルブ部２の固有IDとタイヤ圧が、車両の制御部４へ送信モジュール２９により送られる。
【００１８】
よって、車両の制御部４では、車輪位置とバルブ部２の固有IDを関連付けして記憶しておき、且つどの車輪位置のタイヤ空気圧がどうなっているかを容易に把握できる。これにより制御部４では、車輪ごとのタイヤ空気圧を監視し、表示器５により、その状態を表示でき、タイヤ空気圧に変化等が生じると必要に応じて、警告表示を表示器５で行うなどして、ドライバにタイヤ空気圧の点検を促す。
【００１９】
[ユーザーによるタイヤローテーション]
本実施例１では、ユーザーは独自にタイヤローテーションを前後左右、さらにスペアタイヤまで含めて行えばよい。
その際には、キャップ１も車輪位置と合うように、付け替えるようにする。
この付け替えは、タイヤローテーションと同じく、予め取付けられたキャップ１を取り外し、車輪位置に合わせて再度取り付けるのであり、コストは生じない。
【００２０】
このようにして、キャップ１を付け替えると、キャップ１の押圧部１３ａが、取付けられたバルブ部２のスイッチ２４を押すことにより、変更された車輪位置がバルブ部２に入力され、バルブ部２は、新たな車輪位置と、固有ID、タイヤ空気圧を送信する。車両の制御部４では、バルブ部２からの固有IDと車輪位置の関係が変更になったことを検出して、固有IDと車輪位置の新たな関連づけした情報を記憶する。
【００２１】
これにより、ユーザーが独自にローテーションを行っても、さらにそのローテーションにスペアタイヤを入れても、前後左右のローテーションであっても、その後に、車輪位置とバルブ部の対応を把握でき、何らタイヤ監視に支障を生じない。
【００２２】
また、このキャップ１によるスイッチ２４のオンオフによる車輪位置の伝達は、次の表１に示すように、スイッチ２４との相対回転位置が回転してしまっても、問題なく車輪位置を判別できるオンオフの組み合わせとなっている。
なお、表１のSW1〜SW4は、図２に示すように四方のスイッチ２４それぞれを指すものとする。
【００２３】
【表１】
2007131244.tif 000003
【００２４】
キャップ１とバルブ部２の取り付けは、バルブ部２の四方に設けたスリット２２にキャップ１の棒状部分１２から四方に突出させた係合片１３を差し込むようにして係合させるため、角度ずれは９０°ごとにしか発生しない。そのため表１に示すような組み合わせにより、９０°ごとのどの回転位置においても、スペアタイヤまで含めても判別が可能となる。
これにより、確実に車輪位置がバルブ部２で判別することになる。また、タイヤローテーションやタイヤ交換を行う際のキャップ１の取り付け作業は非常に容易なものになる。
【００２５】
[１つのキャップ紛失の場合]
実施例１のタイヤ空気圧監視装置において、１つのキャップを紛失した場合を、図４を参照して説明する。図４は実施例１のタイヤ空気圧監視装置における１つのキャップを紛失した場合の処理を示す説明図である。
図４(a)に示すように、正常な状態では、キャップ１からバルブ部２へ車輪位置情報が伝達され、バルブ部２からタイヤ空気圧と車輪位置情報が制御部４へ伝達されている。制御部では、車輪位置ごとのタイヤ空気圧情報を監視し、表示器５により表示を行う。
【００２６】
これに対して、いずれか１つのキャップ１を紛失した場合、図４(b)に示すように、１つのキャップからは車輪情報が来ないことになる。しかし、バルブ部２によるタイヤ空気圧の検出は可能であるので、車輪位置のない情報として送信する。車両の制御部４では、これ以外の車輪位置情報から、車輪情報のないタイヤ空気圧情報の車輪位置を判断して、データを用いるようにすることで、問題なくタイヤ空気圧の監視を続行する。図４(b)の例では、キャップ１からRLの車輪位置情報がないが、他のFF,FR,RR,SPの情報を得ることで、紛失した１つをRLと判断して、監視を続ける。
【００２７】
なお、表示器５には、１つのキャップ１を紛失したことを表示し、新たに取り付けることを促すようにするのが望ましい。
このような場合であっても、実施例１のタイヤ空気圧監視装置は、タイヤ空気圧の監視を支障なく続けることができる。
【００２８】
[２つ以上のキャップを紛失した場合]
実施例１のタイヤ空気圧監視装置において、２つ以上のキャップを紛失した場合を、図５を参照して説明する。図５は実施例１のタイヤ空気圧監視装置における２つのキャップを紛失した場合の処理を示す説明図である。
図５(a)に示すように、正常な状態では、キャップ１からバルブ部２へ車輪位置情報が伝達され、バルブ部２からタイヤ空気圧と車輪位置情報が制御部４へ伝達されている。制御部４では、車輪位置ごとのタイヤ空気圧情報を監視し、表示器５により表示を行う。また、バルブ部２からは、タイヤ空気圧と車輪位置情報とともに、バルブ部２が記憶する固有のIDデータも制御部４に送信するようにする。制御部４では、車輪位置とバルブ部２の固有IDを関連付けして記憶しておく。例えば、図５(a)に示すように、車輪位置FLは固有ID＝１２３４、車輪位置RRは固有ID＝２３４５などである。
【００２９】
これに対して、２つ以上のキャップ１を紛失した場合、バルブ部２は車輪位置なしで、データを送信する。残りの車輪位置からは、２つ以上車輪位置情報がないので判断はできない。
しかし、制御部４では、車輪位置とバルブ部２の関連付けを紛失前に行い、記憶しているので、その関連付けデータから、紛失したキャップ１の車輪位置を判断して、タイヤ空気圧の監視を続行することができる。
例えば、図５(b)の例では、キャップ１のFLとRRを紛失している。これに対し、関連付けデータからFLは固有ID＝１２３４のバルブ部２のデータ、RRは固有ID＝２３４５のバルブ部２のデータと判断して、そのデータを用いるようにし、タイヤ空気圧の監視を車輪位置ごとに行うようにする。
このような場合であっても、実施例１のタイヤ空気圧監視装置は、タイヤ空気圧の監視を支障なく続けることができる。
なお、表示器５には、２つのキャップ１を紛失したことを表示し、新たに取り付けることを促すようにするのが望ましい。
【００３０】
[コストについて]
本実施例１のタイヤ空気圧監視装置では、キャップ１は、タイヤ空気圧導入時に頭部１１及び棒状部分１２が取り付け部１４に対して降下し、バルブ部２のバルブ部分を押してタイヤ内部への連通路を開き、タイヤ空気の補充等を行うものである。このため、棒状部分１２は必要不可欠な部分である。
もって、係合片１３への押圧部１３ａの有無による車輪位置情報は非常にコストを抑制してキャップ１に車輪位置を持たせることになる。
【００３１】
また、キャップ１は、信号処理部や送信部をバルブ部２に設けているので、コストが非常に低くなっており、紛失による損失を非常に低減できている。
【００３２】
[キャップの頭部の識別マークについて]
実施例１ではキャップ１の頭部１１に識別マークとして文字を設けたが、他のものであってもよい。
(a)文字の場合
キャップ１の頭部１１の識別マークとして文字を用いた場合には、例えば、Ｆがフロント、Ｒがリヤのように、その文字の意味から車輪位置を容易に判断して識別する。
【００３３】
(b)色の場合
図６(a)に示すように、キャップ１の頭部１１の識別マークとして色を用いた場合は、比較的に離れた位置や暗い環境であっても見分けやすいという特徴がある。
【００３４】
(c)絵の場合
図６(b)に示すように、キャップ１の頭部１１の識別マークとして絵を用いた場合は、見ただけで直感的に、車輪位置を識別することができ、容易に車輪位置を判断できる。
【００３５】
(d)記号の場合
図６(c)に示すように、キャップ１の頭部１１の識別マークとして記号を用いた場合は、シンプルに必要な意味だけを伝えることができ、これにより容易に車輪位置を判断できる。
【００３６】
[警告表示について]
実施例１では、表示器５をインストパネルに設けたが、他の位置で警告表示を行ってもよい
(a)警告表示をインストパネルで行う場合
警告表示をインストパネルで行う場合、他の警告表示と近い表示位置となり、ドライバが、警告表示を非常に気が付きやすくなる。
【００３７】
(b)警告表示をカーナビゲーション画面で行う場合
警告表示をカーナビゲーションで行う場合には、表示に関わるコストを非常に低減でき、色彩豊かな表現により、目立つ表示ができ、警告をドライバが気づきやすくなる。
【００３８】
(c)警告表示をオーディオ画面で行う場合
警告表示をオーディオ画面で行う場合には、表示に関わるコストを非常に低減でき、オーディオ画面で、目立つ表示ができ、警告表示をドライバが、気が付きやすくなる。
【００３９】
(d)警告表示を車内時計の画面で行う場合
警告表示を車内時計の画面で行う場合には、車内時計は、適度に見る頻度であるので、適度な頻度で見る位置での警告表示を行うことで、過度の警告になり過ぎないようにできる。
【００４０】
(e)警告表示をカーエアコン表示画面で行う場合
警告表示をカーエアコンの表示画面で行う場合、比較的記号や絵、文字などによる表示が多い位置であり、タイヤ監視における警告表示を設けることが車室内のデザインへ与える影響を小さくすることができる。つまり統一感を崩さない配置にすることができる。
【００４１】
次に、効果を説明する。
実施例１のタイヤ空気圧監視装置にあっては、下記に列挙する効果を得ることができる。
【００４２】
(1)バルブの開放で空気圧をタイヤ内部へ導入するバルブ部２と、バルブ部２のバルブ部分を露出させないよう覆うキャップ１と、タイヤ空気圧を検出する圧力センサモジュール２６と、車両に設置され、タイヤ空気圧情報を監視する制御部４と、検出したタイヤ空気圧情報を制御部４へ送信する送信モジュール２９と、を備えたタイヤ空気圧監視装置であって、車輪位置情報をキャップ１に持たせ、キャップ１の車輪位置情報により車輪位置を判別する信号処理部２８をバルブ部２に設けて、タイヤ空気圧情報と車輪位置判別情報を送信するため、ユーザーが独自にタイヤローテーションを任意の配置で行うことができ、紛失する可能性のあるキャップを高価にしすぎないようにすることができる。
【００４３】
(2)キャップ１は、車輪位置が示された識別マークを車輪位置情報と別に備えるため、外部から車輪位置情報を認識することができ、識別マークに合うようにキャップ１を付け替えることが容易にできる。これにより、ドライバが独自にタイヤローテーションを行っても、問題なく車輪位置ごとにタイヤ空気圧情報を監視できる。
【００４４】
(3)識別マークは、車輪位置を識別する文字であるため、文字の意味から車輪位置を容易に判断できる。
【００４５】
(4)識別マークは、車輪位置を識別する色であるため、比較的に離れた位置や暗い環境であっても見分けやすくできる。
【００４６】
(5)識別マークは、車輪位置を識別する絵であるため、見ただけで直感的に、車輪位置を識別することができる。
【００４７】
(6)識別マークは、車輪位置を識別する記号であるため、シンプルに必要な意味だけを伝えることができ、これにより容易に車輪位置を判断できる。
【００４８】
(7)車輪位置情報は、スペアタイヤを含む全てのタイヤのキャップ１に持たせ、制御部４は、いずれか１つのキャップ１を紛失した場合に、他のキャップ１の車輪位置情報から、キャップ１を紛失した車輪位置を判断しタイヤ空気圧を監視するため、いずれか１つのキャップ１を紛失しても、紛失した車輪位置を判断して、問題なくタイヤ空気圧の監視を続けることができる。
【００４９】
(8)バルブ部２のそれぞれを識別する固有の識別情報を記憶する固有ID記憶部２８ａをバルブ部２に設け、キャップ１の車輪位置情報と、バルブ部２の識別情報を関連付けして記憶するようにし、制御部４は、いずれか２つ以上のキャップを紛失した場合に、関連付けして記憶した情報から、キャップ１を紛失した車輪位置を判断しタイヤ空気圧を監視するため、いずれか２つのキャップ１を紛失しても、紛失した車輪位置を判断して、問題なくタイヤ空気圧の監視を続けることができる。
【００５０】
(9)制御部４は、キャップ１を紛失した場合に、ドライバに警告表示を行う表示器５を備えたため、タイヤ空気圧が正常でない状態になった際に速やかにドライバへ伝達して点検を促すことができる。
【００５１】
(10)警告表示は、インパネで表示を行うため、他の警告表示と近い表示位置となり、ドライバが、警告表示を非常に気が付きやすくできる。
【００５２】
(11)警告表示は、カーナビゲーション画面であるため、表示に関わるコストを非常に低減でき、色彩豊かな表現により、目立つ表示ができ、警告をドライバが気づきやすくできる。
【００５３】
(12)警告表示は、カーオーディオ画面であるため、目立つ表示ができ、警告表示をドライバが、気が付きやすくできる。
【００５４】
(13)警告表示は、車内時計の画面であるため、適度な頻度で見る位置での警告表示を行うことで、過度の警告になり過ぎないようにできる。
【００５５】
(14)警告表示は、カーエアコン表示画面であるため、タイヤ監視における警告表示を設けることが車室内のデザインへ与える影響を小さくすることができる。つまり統一感を崩さない配置にすることができる。
【００５６】
(15)キャップ１の車輪位置情報及び前記バルブ部２の信号処理部２８は、複数のスイッチ２４をバルブ部２に設け、それぞれ異なるスイッチ２４のオンオフの組み合わせとなるようスイッチ２４に係合する押圧部１３ａをキャップ１に設けたため、コストを抑制した構造で、紛失する可能性のあるキャップを高価にしすぎないようにでき、キャップ１の取り付け位置を変更しても、ローテーションを独自に行っても、確実に車輪位置を情報としてタイヤ監視に生かすことができる。
【００５７】
(16)スイッチ２４は、環状に複数配置し、押圧部１３ａは、環状に配置した突起でスイッチ２４を押す構造にし、バルブ部２とキャップ１の相対回転位置が変わっても判別されるオンオフの組み合わせにしたため、スリット２２と係合片１３により、相対回転変位のずれを９０ごとになるようにし、確実に車輪位置が判断できるため、より確実に車輪ごとのタイヤ空気圧を監視することができる。
【００５８】
以上、本発明のタイヤ空気圧監視装置を実施例１に基づき説明してきたが、具体的な構成については、これらの実施例に限られるものではなく、特許請求の範囲の各請求項に係る発明の要旨を逸脱しない限り、設計の変更や追加等は許容される。
【００５９】
実施例１では、４輪でスペアタイヤまで含めて５つのタイヤの監視を行うものであったが、さらにスペアタイヤを追加したものや、６輪で走行する車両用であってもよい。その場合には、スイッチを増やして対応することが好ましい。
【図面の簡単な説明】
【００６０】
【図１】実施例１のタイヤ空気圧監視装置のシステム構造を示す図である。
【図２】実施例１のタイヤ空気圧監視装置におけるキャップ及びバルブ部の説明図である。
【図３】実施例１のタイヤ空気圧監視装置のバルブ部のシステム構造を示すブロック図である。
【図４】実施例１のタイヤ空気圧監視装置における１つのキャップを紛失した場合の処理を示す説明図である。
【図５】実施例１のタイヤ空気圧監視装置における２つのキャップを紛失した場合の処理を示す説明図である。
【図６】実施例１のタイヤ空気圧監視装置における識別マークの例である。
【符号の説明】
【００６１】
１  キャップ
１１  頭部
１２  棒状部分
１３  係合片
１３ａ  押圧部
１４  取り付け部
２  バルブ部
２１  円筒部
２２  スリット
２３  押圧片
２４  スイッチ
２５  バルブ体
２６  圧力センサモジュール
２７  電源モジュール
２８  信号処理部
２８ａ  固有ID記憶部
２９  送信モジュール
３０  送信アンテナ
３  受信アンテナ
４  制御部
５  表示器
FRT  前輪右タイヤ
FLT  前輪左タイヤ
RRT  後輪右タイヤ
RLT  後輪左タイヤ
SPT  スペアタイヤ
Ｃ  車両
【図１】
2007131244.tif 000004
【図２】
2007131244.tif 000005
【図３】
2007131244.tif 000006
【図４】
2007131244.tif 000007
【図５】
2007131244.tif 000008
【図６】
2007131244.tif 000009